(57)【要約】      （修正有）【課題】信頼性の高い電気装置を提供する。【解決手段】電気装置１００は、回路基板１０に実装される圧接コンタクト１１０と、圧接コンタクト１１０に当接可能な端子を有する電気部品であるエンコーダ１２０と、前記端子を圧接コンタクト１１０に押し付けた状態で、前記電気部品を回路基板１０に固定する固定部材１３０とを含む。【選択図】図１
0003216466.tif 000002
【実用新案登録請求の範囲】
【請求項１】
回路基板に実装される圧接コンタクトと、
前記圧接コンタクトに当接可能な端子を有する電気部品と、
前記端子を前記圧接コンタクトに押し付けた状態で、前記電気部品を前記回路基板に固定する固定部材と
を含む、電気装置。
【請求項２】
前記固定部材は、前記回路基板の孔部に挿入され、前記回路基板に係合する係合部を有する、請求項１記載の電気装置。
【請求項３】
前記係合部は弾性を有し、弾性変形した状態で前記孔部に挿通され、前記孔部に完全に挿入されると、前記弾性変形が戻る構成を有する、請求項２記載の電気装置。
【請求項４】
前記固定部材は、平面視で前記電気部品の周囲を覆う環状の形状を有する、請求項１乃至３のいずれか一項記載の電気装置。
【請求項５】
前記固定部材は、導光体である、請求項１乃至４のいずれか一項記載の電気装置。
【請求項６】
前記端子は、平面電極であり、平面視で前記電気部品の外側に延在する延在部を有する、請求項１乃至５のいずれか一項記載の電気装置。
【請求項７】
前記固定部材は、前記平面電極及び前記圧接コンタクトを前記回路基板との間に収容する凹部を有する、請求項６記載の電気装置。
【請求項８】
前記電気部品は、回転型電気部品である、請求項１乃至７のいずれか一項記載の電気装置。
【請求項９】
前記回転型電気部品は、中空エンコーダである、請求項８記載の電気装置。
【請求項１０】
回路基板に実装される圧接コンタクトに当接可能な端子を有する電気部品と、
前記端子を前記圧接コンタクトに押し付けた状態で、前記電気部品を前記回路基板に固定する固定部材と
を含む、電気装置。
【請求項１１】
前記固定部材は、前記回路基板の孔部に挿入され、前記回路基板に係合する係合部を有する、請求項１０記載の電気装置。
【請求項１２】
前記係合部は弾性を有し、弾性変形した状態で前記孔部に挿通され、前記孔部に完全に挿入されると、前記弾性変形が戻る構成を有する、請求項１１記載の電気装置。
【請求項１３】
前記固定部材は、平面視で前記電気部品の周囲を覆う環状の形状を有する、請求項１０乃至１２のいずれか一項記載の電気装置。
【請求項１４】
前記固定部材は、導光体である、請求項１０乃至１３のいずれか一項記載の電気装置。
【請求項１５】
前記端子は、平面電極であり、平面視で前記電気部品の外側に延在する延在部を有する、請求項１０乃至１４のいずれか一項記載の電気装置。
【請求項１６】
前記固定部材は、前記平面電極及び前記圧接コンタクトを前記回路基板との間に収容する凹部を有する、請求項１５記載の電気装置。
【請求項１７】
前記電気部品は、回転型電気部品である、請求項１０乃至１６のいずれか一項記載の電気装置。
【請求項１８】
前記回転型電気部品は、中空エンコーダである、請求項１７記載の電気装置。
【考案の詳細な説明】
【技術分野】
【０００１】
本考案は、電気装置に関する。
【背景技術】
【０００２】
従来より、回転操作軸を有する回転型電気部品と、前記回転操作軸に対して傾倒可能かつ一体的に回動可能な係合状態で外嵌された駆動体と、この駆動体の底部の複数個所に個別に当接して傾倒中の該駆動体に押圧駆動される複数のプッシュスイッチとを備えたことを特徴とする複合操作型電気部品がある（例えば、特許文献１参照）。
【先行技術文献】
【特許文献】
【０００３】
【特許文献１】特開２００２−１５０８９２号公報
【考案の概要】
【考案が解決しようとする課題】
【０００４】
ところで、従来の複合操作型電気部品において、回転型電気部品を基板に載せて外部導出用の端子を基板に差し込んだ状態で、リフロー工程によって外部導出用の端子を基板の配線や端子等に接合すると、回転型電気部品がリフロー工程の熱によって変形するおそれがある。回転型電気部品の変形は、複合操作型電気部品（電気装置）の信頼性の低下に繋がるおそれがある。
【０００５】
そこで、信頼性の高い電気装置を提供することを目的とする。
【課題を解決するための手段】
【０００６】
本考案の実施の形態の電気装置は、回路基板に実装される圧接コンタクトと、前記圧接コンタクトに当接可能な端子を有する電気部品と、前記端子を前記圧接コンタクトに押し付けた状態で、前記電気部品を前記回路基板に固定する固定部材とを含む。
【考案の効果】
【０００７】
信頼性の高い電気装置を提供することができる。
【図面の簡単な説明】
【０００８】
【図１】実施の形態の電気装置１００を示す図である。
【図２】実施の形態の電気装置１００を示す図である。
【図３】電気装置１００を組み付ける前の分解した状態を示す図である。
【図４】電気装置１００の下面側を示す斜視図である。
【図５】図１のＡ−Ａ矢視断面である。
【考案を実施するための形態】
【０００９】
以下、本考案の電気装置を適用した実施の形態について説明する。
【００１０】
＜実施の形態＞
図１及び図２は、実施の形態の電気装置１００を示す図である。以下では、ＸＹＺ座標を用いて説明する。電気装置１００は、回路基板１０に実装されている。また、説明の便宜上、Ｚ軸正方向を上方向、Ｚ軸負方向を下方向として、上下関係を説明する。ただし、普遍的な上下関係を表すものではない。
【００１１】
電気装置１００は、圧接コンタクト１１０、エンコーダ１２０、及び固定部品１３０を含む。以下では、図１及び図２に加えて、図３乃至図５を用いて説明する。図３は、電気装置１００を組み付ける前の分解した状態を示す図である。図４は、電気装置１００の下面側を示す斜視図であり、図５は、図１のＡ−Ａ矢視断面である。なお、図４及び図５には、電気装置１００にノブ２０Ａとボタン２０Ｂを組み付けた状態の断面を示す。また、図５には、一部分を拡大した図も示す。図５の拡大図には、回路基板１０に実装されるＬＥＤ(Light Emitting Diode)３０を示す。ＬＥＤ３０の発光面は、Ｚ軸正方向を向いている。
【００１２】
圧接コンタクト１１０は、Ｚ軸方向に伸縮可能なバネ接点であり、金属板金をバネ状に巻回したものである。圧接コンタクト１１０のＺ軸負方向側の端子は、回路基板１０の配線に接続されており、一例として、リフロー工程ではんだ付けされている。圧接コンタクト１１０は、一例として、３個ある。
【００１３】
エンコーダ１２０は、円筒状の中空エンコーダであり、接点ケース１２１、ロータ１２２、フレーム１２３、及び接点１２４を有する。エンコーダ１２０は、電気部品及び回転型電気部品の一例である。
【００１４】
接点ケース１２１は、樹脂等の絶縁材料で作製されており、回路基板１０に対して固定される。接点ケース１２１は、円筒状であり、内部には、タクトスイッチ（図示せず）等を配置することができ、ボタン２０Ｂ（図４、６参照）でＺ軸下方向に押す操作によって操作することができる。
【００１５】
また、接点ケース１２１は、接点１２４を案内する突出部１２１Ａを有する。突出部１２１Ａは、円筒状の部分から径方向外側に突出しており、下面に接点１２４の延在部１２４Ａが設けられる。突出部１２１Ａは、固定部品１３０の凹部１３１Ａの内部に収容される。
【００１６】
ロータ１２２は、接点ケース１２１の周囲に回転可能に取り付けられる円筒状の部材である。ロータ１２２は、樹脂等の絶縁材料で作製される。ロータ１２２の外周部には、円筒状のノブ２０Ａ（図４、６参照）が取り付けられ、利用者によってノブ２０Ａが回転操作されることによって、ロータ１２２が回転される。
【００１７】
フレーム１２３は、円環状の部材であり、金属又は樹脂で作製される。フレーム１２３は、接点ケース１２１にロータ１２２を取り付けた状態で、接点ケース１２１及びロータ１２２の下部で径方向外側に延出している部分を上側から押さえ付け、回路基板１０に対して接点ケース１２１及びロータ１２２の位置を合わせるために設けられている。フレーム１２３は、円環状の部分の外周部からＺ軸負方向に延在する支柱１２３Ａを有し、支柱１２３Ａの先端は、回路基板１０に設けられた孔部１０Ａに挿入されている。
【００１８】
接点１２４は、接点ケース１２１の下面に３個設けられており、接点ケース１２１の下部に設けられる電極と、ロータ１２２の下部に設けられる電極とに接続されている。接点１２４は、図４に示すように、接点ケース１２１の径方向における内側から外側に向かって延在する延在部１２４Ａを有する。延在部１２４Ａは、固定部品１３０の凹部１３１Ａの内部に位置する。延在部１２４Ａは、圧接コンタクト１１０に接続される。
【００１９】
接点ケース１２１に対してロータ１２２を回転させると、接点ケース１２１の下部に設けられる電極と、ロータ１２２の下部に設けられる電極とが摺動することにより、接点１２４を介してロータ１２２の回転位置を表すＡ相及びＢ相の出力が得られる。
【００２０】
固定部品１３０は、円環状の部材であり、一例として、導光性のある樹脂又は金属等で作製される。固定部品１３０は、固定部材の一例であり、接点ケース１２１及びロータ１２２の円筒状の部分を内部に挿通させた状態で、フレーム１２３の上から組み付けられ、エンコーダ１２０を回路基板１０に固定する部材である。また、固定部品１３０は、導光体としての機能も有する。
【００２１】
固定部品１３０は、円環部１３１、畝部１３２、４個の係合部１３３とを有する。円環部１３１の上部には、円環状の畝部１３２が設けられており、円環部１３１の下端からは、Ｚ軸負方向に係合部１３３が延在している。
【００２２】
円環部１３１は、固定部品１３０のフレームに相当する部分である。円環部１３１は、下面から上方向に凹んだ凹部１３１Ａ及び１３１Ｂを有する。凹部１３１Ａは１個であり、凹部１３１Ｂは４個ある。
【００２３】
凹部１３１Ａは、エンコーダ１２０の接点ケース１２１の突出部１２１Ａと、接点１２４の延在部１２４Ａと、圧接コンタクト１１０とを回路基板１０の上面との間の空間に収容するために設けられている。なお、エンコーダ１２０が突出部１２１Ａを有さずに、延在部１２４Ａが単独で接点ケース１２１の径方向外側に延在していてもよく、この場合には、凹部１３１Ａと回路基板１０の上面との間の空間には、接点１２４の延在部１２４Ａと、圧接コンタクト１１０とが収容されることになる。
【００２４】
凹部１３１Ｂは、回路基板１０の上面との間の空間に、ＬＥＤ３０を収容するために設けられている。固定部品１３０が回路基板１０に取り付けられると、４箇所の凹部１３１Ｂには、回路基板１０の上面に実装された４個のＬＥＤ３０がそれぞれ収まるように構成されている。
【００２５】
畝部１３２は、平面視で円環状であり、円環部１３１の上面から、上方向に突出している。ＬＥＤ３０を点灯すると、図５の拡大図に矢印で示すように、光が円環部１３１を通り、畝部１３２に案内される。このため、円環部１３１及び畝部１３２はＬＥＤ３０の光によって発光する。
【００２６】
係合部１３３は、円環部１３１の円周方向に等間隔で４個設けられている。係合部１３３の先端には径方向外側に突出する爪部１３３Ａが設けられている。爪部１３３Ａは、下方に向かって突出量が少なくなるようなテーパ形状を有する。
【００２７】
回路基板１０には、係合部１３３を差し込むための孔部１０Ｂが４個設けられている。４個の孔部１０Ｂの位置は、４個の係合部１３３に対応している。また、４個の孔部１０Ｂは、係合部１３３のＸＹ断面の形状に合わせた略矩形状であり、固定部品１３０の径方向における外側の内壁の位置は、係合部１３３が爪部１３３Ａを有しない場合に、係合部１３３が撓まずに挿入され、係合部１３３の径方向外側の面と接触するように設定されている。
【００２８】
固定部品１３０を接点ケース１２１、ロータ１２２、フレーム１２３の上から覆うように配置し、回路基板１０の孔部１０Ｂに係合部１３３を差し込むと、爪部１３３Ａによって係合部１３３が径方向内側に撓み、爪部１３３Ａが孔部１０Ｂに完全に差し込まれると、撓んでいない状態に戻る。この状態では、爪部１３３Ａの上端が回路基板１０の下面に係合するため、固定部品１３０は、回路基板１０から抜けないようになっている。爪部１３３Ａの上端の位置は、固定部品１３０を回路基板１０に取り付けた状態で、回路基板１０の下面の位置と合うように設定されている。このため、固定部品１３０は、回路基板１０に対して遊びが殆どない状態で固定され、エンコーダ１２０が回路基板１０から浮くことを抑制できる。
【００２９】
また、この状態では、エンコーダ１２０の接点１２４の延在部１２４Ａが、回路基板１０に実装された圧接コンタクト１１０に押圧された状態で接続される。この状態では、圧接コンタクト１１０は、自然長よりも縮んでいるため、延在部１２４Ａとは電気的に確実に接続される。
【００３０】
このため、固定部品１３０を用いれば、延在部１２４Ａと圧接コンタクト１１０とを電気的に確実に接続できるとともに、回路基板１０にエンコーダ１２０を容易に固定することができる。延在部１２４Ａと圧接コンタクト１１０との接続には、はんだを用いないので、リフロー工程を行う必要はなく、エンコーダ１２０を高温に晒すことなく、回路基板１０に対して固定することができる。
【００３１】
従って、信頼性の高い電気装置１００を提供することができる。
【００３２】
また、固定部品１３０は、凹部１３１ＢにＬＥＤ３０を収容できるので、導光性のある材料で作製することにより、導光体として発光させることができる。
【００３３】
電気装置１００は、図４及び図５に示すようにノブ２０Ａとボタン２０Ｂを取り付けた状態で、一例として、車両に搭載され、ダッシュボード周辺に配置されるディスプレイパネルに表示されるナビゲーション装置やエアコンディショナ等の様々な装置の操作画面に表示されるＧＵＩ（Graphic User Interface）の操作部等を遠隔操作する際に利用される装置であり、ノブ２０Ａ及びボタン２０Ｂを含めて入力装置として用いられる。このような入力装置は、例えば、車両のセンターコンソールのように運転者又は助手席の乗員の手元に配置される。ただし、電気装置１００の利用形態は、このような利用形態に限られるものではない。
【００３４】
なお、以上では、固定部品１３０が畝部１３２を有する形態について説明したが、畝部１３２を有さない構成であってもよい。
【００３５】
また、以上では、電気部品としてエンコーダ１２０を用いる形態について説明したが、電気部品はエンコーダ１２０に限られるものではなく、例えば、レゾルバ等のような回転型電気部品であってもよい。
【００３６】
また、電気装置１００は、圧接コンタクト１１０を含まずに、エンコーダ１２０及び固定部品１３０を含む構成であってもよい。
【００３７】
以上、本考案の例示的な実施の形態の電気装置について説明したが、本考案は、具体的に開示された実施の形態に限定されるものではなく、特許請求の範囲から逸脱することなく、種々の変形や変更が可能である。
【符号の説明】
【００３８】
１０  回路基板
２０Ａ  ノブ
２０Ｂ  ボタン
３０  ＬＥＤ
１００  電気装置
１１０  圧接コンタクト
１２０  エンコーダ
１２１  接点ケース
１２２  ロータ
１２３  フレーム
１２４  接点
１２４Ａ  延在部
１３０  固定部品
１３１  円環部
１３１Ａ、１３１Ｂ  凹部
１３２  畝部
１３３  係合部
１３３Ａ  爪部
【図１】
0003216466.tif 000003
【図２】
0003216466.tif 000004
【図３】
0003216466.tif 000005
【図４】
0003216466.tif 000006
【図５】
0003216466.tif 000007